(57)【特許請求の範囲】
【請求項１】
透光性基板と、該透光性基板の一方面側に接続された配線基板と、前記透光性基板上に位置する前記配線基板の部分を含んで前記透光性基板の前記一方面側に接着剤により面接着された透光性カバーと、を有する電気光学装置において、
前記透光性基板に接着された前記透光性カバーの接着面には、前記透光性基板の前記一方面上に位置する前記配線基板の部分と重なる領域に凹部が形成されていることを特徴とする電気光学装置。
【請求項２】
前記透光性基板に対して前記透光性カバーが位置する側とは反対側に画像生成用の電気光学パネルを備え、
前記透光性基板の前記一方面には、入力位置を静電容量方式で検出するための入力位置検出用電極が設けられていることを特徴とする請求項１に記載の電気光学装置。
【請求項３】
前記凹部は、少なくとも、前記透光性基板上に位置する前記配線基板の部分の幅方向の両端部と重なる領域に形成されていることを特徴とする請求項１または２に記載の電気光学装置。
【請求項４】
前記凹部は、前記透光性基板上に位置する前記配線基板の部分の全体と重なる領域に形成されていることを特徴とする請求項３に記載の電気光学装置。
【請求項５】
前記凹部は、前記透光性基板上に位置する前記配線基板の部分と重なる領域で並列する複数本の溝として形成されていることを特徴とする請求項１または２に記載の電気光学装置。
【請求項６】
前記凹部の深さは、前記配線基板の厚さより大であることを特徴とする請求項１乃至５の何れか一項に記載の電気光学装置。
【請求項７】
前記接着剤の一部は、前記凹部の底部と前記配線基板との間に位置することを特徴とする請求項６に記載の電気光学装置。
【発明の詳細な説明】
【技術分野】
【０００１】
本発明は、透光性基板の一方面側に接着剤層によって透光性カバーが接着された電気光学装置に関するものである。
【背景技術】
【０００２】
携帯電話、カーナビゲーション、パーソナルコンピューター、券売機、銀行の端末等の電子機器では、近年、液晶パネル等の表面にタッチパネル（入力装置）が配置された電気光学装置が用いられており、かかる電気光学装置では、透光性基板の入力操作面側に、入力位置検出用電極が形成されている。また、図９に示すように、透光性基板２０の入力操作面側（第１面２０ａ側）の端部にはフレキシブル配線基板３５（配線基板）が接続されている。また、透光性基板２０の入力操作面側には、接着剤により透光性カバー９０が透光性基板２０に重なるように接着されている（特許文献１参照）。
【先行技術文献】
【特許文献】
【０００３】
【特許文献１】特開２００８−８３４９１号公報
【発明の概要】
【発明が解決しようとする課題】
【０００４】
しかしながら、特許文献１に記載の構成では、透光性基板２０の第１面２０ａ側において、フレキシブル配線基板３５が実装されている部分には、フレキシブル配線基板３５の基板厚に相当する段差が形成されているため、透光性基板２０に対して透光性カバー９０を適正に接着することができないという問題点がある。
【０００５】
すなわち、透光性カバー９０と透光性基板２０との隙間がフレキシブル配線基板３５の厚さより狭い場合、フレキシブル配線基板３５が実装されている部分では透光性カバー９０が浮いてしまうという問題点がある。
【０００６】
また、透光性カバー９０と透光性基板２０との隙間がフレキシブル配線基板３５の厚さより広い場合でも、透光性基板２０の第１面２０ａに液状の接着剤を塗布した後、透光性カバー９０を重ねて透光性基板２０と透光性カバー９０との間で接着剤を広げようとした際、フレキシブル配線基板３５が実装されている部分では隙間が狭いため、フレキシブル配線基板３５が実装されている部分では透光性基板２０と透光性カバー９０との間に接着剤が入り込まない。その結果、フレキシブル配線基板３５が実装されている部分では透光性基板２０と透光性カバー９０とが接着されないという問題点がある。
【０００７】
また、透光性基板２０の第１面２０ａ側においてフレキシブル配線基板３５が実装されている部分も含めて、透光性基板２０の第１面２０ａと透光性カバー９０との間にゲル状シートを配置して透光性基板２０と透光性カバー９０とを接着しようとした際、フレキシブル配線基板３５が実装されている部分では透光性カバー９０が浮いてしまうという問題点がある。
【０００８】
以上の問題点に鑑みて、本発明の課題は、透光性基板の一方面側に配線基板を接続した場合でも、透光性基板の一方面側全体に透光性カバーを好適に面接着することのできる電気光学装置を提供することにある。
【課題を解決するための手段】
【０００９】
上記課題を解決するために、本発明では、透光性基板と、該透光性基板の一方面側に接続された配線基板と、前記透光性基板上に位置する前記配線基板の部分を含んで前記透光性基板の前記一方面側に接着剤により面接着された透光性カバーと、を有する電気光学装置において、前記透光性基板に接着された前記透光性カバーの接着面には、前記透光性基板の前記一方面上に位置する前記配線基板の部分と重なる領域に凹部が形成されていることを特徴とする。
【００１０】
本発明において、「透光性基板の一方面側」とは、透光性基板の一方面自身、および透光性基板の一方面に形成された保護層などを含む意味である。また、「接着」「接着剤層」とは、接合後も粘性が保持される「粘着」「粘着剤」も含む意味である。
【００１１】
本発明では、透光性カバーにおいて透光性基板に接着された接着面には、配線基板において透光性基板の一方面上に位置する部分と重なる領域に凹部が形成されているため、透光性基板において配線基板が実装されている部分でも、配線基板と透光性カバーとの間には隙間が生成される。このため、例えば、透光性基板に液状の接着剤を塗布した後、透光性カバーを重ね、透光性基板と透光性カバーとの間で接着剤を広げようとした際、配線基板が実装されている部分でも接着剤が入り込む。従って、配線基板が実装されている部分でも、透光性基板と透光性カバーとを接着することができ、透光性基板の一方面側に透光性カバーを好適に面接着することができる。
【００１２】
本発明において、前記透光性基板に対して前記透光性カバーが位置する側とは反対側に画像生成用の電気光学パネルを備え、前記透光性基板の前記一方面には、入力位置を静電容量方式で検出するための入力位置検出用電極が設けられている構成を採用することができる。
【００１３】
本発明において、前記凹部は、少なくとも、前記透光性基板上に位置する前記配線基板の部分の幅方向の両端部と重なる領域に形成されていることが好ましい。このように構成すると、透光性基板に液状の接着剤を塗布した後、透光性カバーを重ね、透光性基板と透光性カバーとの間で接着剤を広げようとした際、配線基板が実装されている部分でも、配線基板の幅方向の両端部には接着剤が入り込む。従って、配線基板が実装されている部分でも、透光性基板と透光性カバーとを接着することができ、透光性基板の一方面側に透光性カバーを好適に面接着することができる。
【００１４】
本発明において、前記凹部は、前記透光性基板上に位置する前記配線基板の部分の全体と重なる領域に形成されていることが好ましい。このように構成すると、透光性基板に液状の接着剤を塗布した後、透光性カバーを重ね、透光性基板と透光性カバーとの間で接着剤を広げようとした際、配線基板が実装されている部分でもその全体に接着剤が入り込む。従って、配線基板が実装されている部分でも、透光性基板と透光性カバーとを接着することができ、透光性基板の一方面側に透光性カバーを好適に面接着することができる。また、透光性基板において配線基板が実装されている部分も含めて、透光性基板と透光性カバーとの間にゲル状シート（粘着剤）を配置して透光性基板と透光性カバーとを接着する場合でも、透光性カバーを浮かすことなく、透光性基板と透光性カバーとを好適に接着することができる。
【００１５】
本発明において、前記凹部は、前記透光性基板上に位置する前記配線基板の部分と重なる領域で並列する複数本の溝として形成されている構成を採用することができる。このように構成すると、透光性基板に液状の接着剤を塗布した後、透光性カバーを重ね、透光性基板と透光性カバーとの間で接着剤を広げようとした際、配線基板が実装されている部分でも、溝状の凹部を伝って接着剤が入り込む。従って、配線基板が実装されている部分でも、透光性基板と透光性カバーとを接着することができ、透光性基板の一方面側に透光性カバーを好適に面接着することができる。
【００１６】
本発明において、前記凹部の深さは、前記配線基板の厚さより大であることが好ましい。このように構成すると、透光性基板と透光性カバーとの間隔や、配線基板の厚さにかかわらず、凹部の底部と配線基板との間に隙間を確保することができる。従って、配線基板が実装されている部分でも液状の接着剤が入り込むので、透光性基板の一方面側に透光性カバーを好適に面接着することができる。
【００１７】
この場合、前記接着剤層の一部は、前記凹部の底部と前記配線基板との間に位置することが好ましい。このように構成すると、配線基板が実装されている部分を接着剤で覆うことができるので、配線基板が実装されている部分を接着剤によって保護することができる。
【００１８】
本発明を適用した電気光学装置は、携帯電話、カーナビゲーション、パーソナルコンピューター、券売機、銀行の端末等の電子機器に用いられる。
【図面の簡単な説明】
【００１９】
【図１】本発明の実施の形態１に係る入力機能付きの電気光学装置の全体構成を模式的に示す説明図である。
【図２】本発明の実施の形態１に係る入力機能付きの電気光学装置を構成する各部材の位置関係等を模式的に示す説明図である。
【図３】本発明の実施の形態１に係る入力機能付きの電気光学装置の入力パネルに形成した入力位置検出用電極の平面的なレイアウトを模式的に示す説明図である。
【図４】本発明の実施の形態１に係る入力機能付きの電気光学装置の入力パネルに形成した導電膜を示す説明図である。
【図５】本発明の実施の形態１に係る入力機能付きの電気光学装置の透光性基板においてフレキシブル配線基板が接続されている端部周辺の説明図である。
【図６】本発明の実施の形態２に係る入力機能付きの電気光学装置における透光性基板と透光性カバーとの接着構造の説明図である。
【図７】本発明をＩＰＳ方式あるいはＦＦＳ方式の液晶パネルと透光性カバーとの接着に適用した例を示す説明図である。
【図８】本発明に係る入力機能付きの電気光学装置を用いた電子機器の説明図である。
【図９】従来の電気光学装置の透光性基板においてフレキシブル配線基板が接続されている端部周辺の説明図である。
【発明を実施するための形態】
【００２０】
図面を参照して本発明の実施の形態を説明する。なお、以下の説明では、対応関係が分りやすいように、対応する部分には同一の符号を付して説明する。また、以下の説明で参照する図においては、各層や各部材を図面上で認識可能な程度の大きさとするため、各層や各部材毎に縮尺を異ならしめてある。
【００２１】
［実施の形態１］
（全体構成）
図１は、本発明の実施の形態１に係る入力機能付きの電気光学装置の全体構成を模式的に示す説明図であり、図１（ａ）、（ｂ）は、電気光学装置の斜視図、および電気光学装置の一部を切り欠いて示す斜視図である。図２は、本発明の実施の形態１に係る入力機能付きの電気光学装置を構成する各部材の位置関係等を模式的に示す説明図であり、図２（ａ）、（ｂ）は各々、入力機能付きの電気光学装置の平面構成を模式的に示す説明図、および断面構成を模式的に示す説明図である。なお、図２（ａ）において、電気光学装置に用いた透光性カバーについては太い実線で示し、透光性基板については太くて長い点線で示し、入力領域については一点鎖線で示し、フレキシブル配線基板については二点鎖線で示し、透光性カバーの遮光層については右上がりの実線を付した領域によって示してある。また、透光性カバーに形成した凹部については細くて短い点線で表してある。
【００２２】
図１および図２において、本形態の入力機能付きの電気光学装置１００は、液晶パネルからなる電気光学パネル５と、この電気光学パネル５において表示光を出射する側に重ねて配置された入力パネル２（タッチパネル）と、入力パネル２において入力操作が行われる側に重ねて配置された透光性カバー９０とを有している。
【００２３】
本形態において、入力パネル２および電気光学パネル５はいずれも長方形の平面形状を備えており、入力パネル２を平面視した際の中央領域が入力領域２ａである。また、電気光学パネル５において、入力パネル２の入力領域２ａに対して平面視で重なる領域が画像表示領域である。
【００２４】
透光性カバー９０は、ＰＭＭＡ（ポリメタクリル酸メチル樹脂／Polymethyl methacrylate）やＰＣ（ポリカーボネート／Polycarbonate)等の硬質の透光性プラスックの薄い板であり、入力パネル２および電気光学パネル５と同様、矩形の平面形状を備えている。また、透光性カバー９０は、ガラスにより形成することもある。いずれの場合も、透光性カバー９０は、入力パネル２および電気光学パネル５より大きい。透光性カバー９０において、入力パネル２および電気光学パネル５が位置する側の面９１には、入力領域２ａの周りを囲むように矩形枠状の遮光層９０ａが形成されている。本形態において、遮光層９０ａは透光性カバー９０に対して印刷等により形成された黒色領域であり、電気光学パネル５の光源や導光板の端部から漏れた光を遮断し、表示光の出射側（入力操作側）に漏れるのを防止する。
【００２５】
電気光学パネル５は、透過型や半透過反射型のアクティブマトリクス型の液晶パネルであり、電気光学パネル５に対して入力パネル２が配置されている側とは反対側（表示光の出射側とは反対側）にはバックライト装置（図示せず）が配置されている。バックライト装置は、例えば、電気光学パネル５に対して配置された透光性の導光板と、導光板の側端部に向けて白色光等を出射する発光ダイオード等の光源とを備えており、光源から出射された光は、導光板の側端部から入射した後、導光板内を伝搬しながら電気光学パネル５に向けて出射される。導光板と電気光学パネル５との間には、光散乱シートやプリズムシート等のシート状光学部材が配置されることもある。
【００２６】
電気光学パネル５には、表示光の出射側には第１偏光板８１が重ねて配置され、その反対側に第２偏光板８２が重ねて配置されている。このため、入力パネル２は、アクリル樹脂系等といった透光性の接着剤（図示せず）によって第１偏光板８１に接着されている。
【００２７】
電気光学パネル５は、表示光の出射側に配置された透光性の素子基板５０と、この素子基板５０に対して対向配置された透光性の対向基板６０とを備えている。対向基板６０と素子基板５０とは、矩形枠状のシール材７１により貼り合わされており、対向基板６０と素子基板５０との間においてシール材７１で囲まれた領域内に液晶層５５が保持されている。素子基板５０において、対向基板６０と対向する面には複数の画素電極５８がＩＴＯ（Indium Tin Oxide）膜等の透光性導電膜により形成され、対向基板６０において、素子基板５０と対向する面には共通電極６８がＩＴＯ膜等の透光性導電膜により形成されている。
【００２８】
なお、電気光学パネル５がＩＰＳ(In Plane Switching)方式や、ＦＦＳ（Fringe Field Switching）方式である場合、共通電極６８は素子基板５０の側に設けられる。また、対向基板６０が表示光の出射側に配置されることもある。素子基板５０において、対向基板６０の縁から張り出した張出領域５９には駆動用ＩＣ７５がＣＯＧ実装されているとともに、張出領域５９にはフレキシブル配線基板７３が接続されている。なお、素子基板５０には、素子基板５０上のスイッチング素子と同時に駆動回路を形成することもある。
【００２９】
（入力パネル２の詳細構成）
図３は、本発明の実施の形態１に係る入力機能付きの電気光学装置１００の入力パネル（透光性基板２０）に形成した入力位置検出用電極の平面的なレイアウトを模式的に示す説明図である。図４は、本発明の実施の形態１に係る入力機能付きの電気光学装置の入力パネルに形成した導電膜を示す説明図であり、図４（ａ）、（ｂ）、（ｃ）、（ｄ）は各々、入力位置検出用電極２１を構成する電極パターンの平面的な構成を示す説明図、透光性基板２０をＡ−Ａ′断面図、Ｂ−Ｂ′断面図、およびＣ−Ｃ′断面図である。なお、以下の説明では、入力パネル２に用いた透光性基板２０の基板面で互いに交差する方向（本形態では、直交する方向）を各々Ｘ方向およびＹ方向として説明する。
【００３０】
図１および図２に示すように、入力パネル２は、静電容量方式のタッチパネルを構成しており、１枚の透光性基板２０を有している。透光性基板２０の第１面２０ａおよび第２面２０ｂのうち、入力操作側に位置する第１面２０ａ（一方面）には入力位置検出用電極２１が形成されている。また、透光性基板２０の第１面２０ａにおいて、端部２０ｅ、２０ｆ、２０ｇ、２０ｈのうち、端部２０ｅには、入力位置検出用電極２１に電気的接続するパッド２７ｃが形成されており、かかるパッド２７ｃには異方性導電材３６を介してフレキシブル配線基板３５が接続されている。
【００３１】
図２、図３および図４（ａ）、（ｂ）に示すように、本形態の入力パネル２において、透光性基板２０の第１面２０ａにおいて、入力領域２ａの内側には複数の入力位置検出用電極２１が形成されている。入力位置検出用電極２１は、第１方向（矢印Ｙで示す方向）に延在する複数列の第１透光性電極パターン２１１と、第１方向に交差する第２方向（矢印Ｘで示す方向）に延在する複数列の第２透光性電極パターン２１２とを備えている。かかる第１透光性電極パターン２１１、および第２透光性電極パターン２１２は、ＩＴＯ膜等の第１導電膜４ａにより形成されている。
【００３２】
本形態において、第１透光性電極パターン２１１と第２透光性電極パターン２１２とは透光性基板２０の同一面上（第１面２０ａ）に同一層により形成されている。このため、透光性基板２０の第１面２０ａには、第１透光性電極パターン２１１と第２透光性電極パターン２１２との交差部２１８が複数、存在する。そこで、本形態では、第１透光性電極パターン２１１はＹ方向で繋がって延在している一方、第２透光性電極パターン２１２は交差部２１８で途切れている。また、第１透光性電極パターン２１１および第２透光性電極パターン２１２の上層側には、シリコン酸化膜等からなる透光性の層間絶縁膜２１４が形成され、かかる層間絶縁膜２１４の上層には、交差部２１８で途切れている第２透光性電極パターン２１２同士を電気的に接続する透光性の中継電極２１５が形成されている。このため、第２透光性電極パターン２１２はＸ方向で電気的に接続されている。本形態において、中継電極２１５は、ＩＴＯ膜等の第２導電膜４ｂにより形成されている。また、中継電極２１５の上層にはシリコン酸化膜等からなる保護膜２１６が形成されている。なお、層間絶縁膜２１４については交差部２１８のみに形成してもよい。
【００３３】
第１透光性電極パターン２１１および第２透光性電極パターン２１２は各々、交差部２１８で挟まれた領域に菱形形状の大面積のパッド部２１１ａ、２１２ａ（大面積部分）を備えており、第１透光性電極パターン２１１において交差部２１８に位置する連結部分２１１ｃは、パッド部２１１ａより幅の狭い細幅形状になっている。また、中継電極２１５も、パッド部２１１ａ、２１２ａより幅の狭い細幅形状で短冊状に形成されている。
【００３４】
透光性基板２０の第１面２０ａにおいて入力領域２ａの外側領域には、第１透光性電極パターン２１１および第２透光性電極パターン２１２の各々から延在する配線２７ａ、２７ｂが形成されている。配線２７ａ、２７ｂの端部は、端子になっており、かかる端子に対して、図１および図２に示すフレキシブル配線基板３５の配線が電気的接続されている。
【００３５】
本形態では、配線２７ａ、２７ｂを構成するにあたって、図４（ａ）、（ｂ）、（ｃ）、（ｄ）に示すように、まず、第１透光性電極パターン２１１および第２透光性電極パターン２１２を構成する第１導電膜４ａを配線２７ａ、２７ｂの形成領域に沿って延在させてある。また、本形態では、中継電極２１５を構成する第２導電膜４ｂを配線２７ａ、２７ｂに積層させてある。このため、配線２７ａ、２７ｂは、第１導電膜４ａと第２導電膜４ｂとの多層構造になっており、配線抵抗が低い。さらに、配線２７ａ、２７ｂの端部には、クロム等の金属層４ｃが形成されており、かかる金属層４ｃによってパッド２７ｃが構成されている。
【００３６】
かかる入力パネル２では、フレキシブル配線基板３５を介して出力された信号に基づいて、複数の入力位置検出用電極２１（第１透光性電極パターン２１１および第２透光性電極パターン２１２）に結合する静電容量を監視する。かかる監視において、透光性基板２０への指の近接等がない状態では、複数の入力位置検出用電極２１に結合する静電容量は同一である。これに対して、透光性カバー９０に指が接近すると、接近個所に位置する入力位置検出用電極２１（第１透光性電極パターン２１１および第２透光性電極パターン２１２）では、指とパッド部２１１ａ、２１２ａとの間に生成された静電容量が加算された静電容量が検出される。従って、透光性基板２０に対する指の接近位置を検出することができる。
【００３７】
（透光性基板２０と透光性カバー９０との接着構造）
図５は、本発明の実施の形態１に係る入力機能付きの電気光学装置１００の透光性基板２０においてフレキシブル配線基板３５が接続されている端部周辺の説明図である。
【００３８】
図２（ｂ）および図５に示すように、本形態では、透光性基板２０の第１面２０ａの側には透光性カバー９０が重ねて配置され、かかる透光性カバー９０は、接着剤層４０によって透光性基板２０の第１面２０ａに面接着されている。ここで、透光性カバー９０は、透光性基板２０より大きく、四方に張り出している。このため、透光性基板２０の第１面２０ａの全体が透光性カバー９０に接着されている。
【００３９】
本形態において、接着剤層４０は、光硬化性接着剤、熱硬化性接着剤、光・熱硬化併用型接着剤のいずれをも用いることができ、その厚さは、例えば、約１００μｍ程度である。これに対して、フレキシブル配線基板３５は厚さが約５０μｍである。但し、フレキシブル配線基板３５は、パッド２７ｃに異方性導電材３６により接続されているため、フレキシブル配線基板３５において透光性基板２０に実装されている部分３５ａは、透光性基板２０の第１面２０ａから５０μｍ以上、突出している。従って、透光性基板２０の第１面２０ａ側において、フレキシブル配線基板３５が実装されている部分２０ｐには、フレキシブル配線基板３５に起因する段差が形成されているため、透光性基板２０と透光性カバー９０とを重ねた際、透光性基板２０の第１面２０ａ側において、フレキシブル配線基板３５が実装されている部分２０ｐは、透光性カバー９０との間に狭い隙間しか存在せず、透光性基板２０と透光性カバー９０との接着に支障がある。
【００４０】
そこで、本形態では、透光性カバー９０において透光性基板２０が位置する側の面９１（接着面）には、フレキシブル配線基板３５において透光性基板２０の第１面２０ａ上に位置する部分３５ａと重なる領域に凹部９５が形成されている。
【００４１】
かかる凹部９５は、少なくとも、フレキシブル配線基板３５において透光性基板２０上に位置する部分３５ａの幅方向の両側の端部３５ｂ、３５ｃと重なる領域に形成される。本形態において、凹部９５は、フレキシブル配線基板３５において透光性基板２０上に位置する部分３５ａの全体と重なる領域に形成されている。すなわち、フレキシブル配線基板３５において透光性基板２０上に位置する部分３５ａの幅寸法をＷａとし、凹部９５の幅寸法をＷｂとしたとき、幅寸法Ｗａ、Ｗｂは以下の関係
Ｗａ＜Ｗｂ
にあり、凹部９５の幅寸法Ｗｂは、フレキシブル配線基板３５において透光性基板２０上に位置する部分３５ａの幅寸法Ｗａより大である。
【００４２】
また、フレキシブル配線基板３５の厚さをｔとし、凹部９５の深さをｄとしたとき、厚さｔおよび深さｄは以下の関係
ｔ＜ｄ
にあり、凹部９５の深さｄは、フレキシブル配線基板３５の厚さｔより大である。
【００４３】
このような構成の透光性カバー９０を透光性基板２０に接着剤層４０で接着するには、透光性基板２０の第１面２０ａに液状の接着剤を塗布した後、透光性カバー９０を重ねて透光性基板２０と透光性カバー９０との間で接着剤を広げる。その際、透光性基板２０においてフレキシブル配線基板３５が実装されている部分２０ｐでも、フレキシブル配線基板３５と透光性カバー９０との間には、凹部９５によって十分な隙間があいている。このため、フレキシブル配線基板３５が実装されている部分２０ｐと透光性カバー９０との間にも接着剤がスムーズに入り込む。従って、接着剤を硬化させて、透光性カバー９０と透光性基板２０とを接着剤層４０で接着した状態において、接着剤層４０の一部は、凹部９５の底部とフレキシブル配線基板３５との間にも存在する。それ故、透光性基板２０は、フレキシブル配線基板３５が実装されている部分２０ｐも含めて第１面２０ａの側の全体が透光性カバー９０と接着されることになる。
【００４４】
（本形態の主な効果）
以上説明したように、本形態の入力機能付きの電気光学装置１００では、透光性カバー９０において透光性基板２０に接着された面９１（接着面）には、フレキシブル配線基板３５において透光性基板２０の第１面２０ａ上に位置する部分３５ａと重なる領域に凹部９５が形成されているため、透光性基板２０においてフレキシブル配線基板３５が実装されている部分２０ｐでも、透光性基板２０と透光性カバー９０との間には隙間が生成される。このため、透光性基板２０に液状の接着剤を塗布した後、透光性カバー９０を重ね、透光性基板２０と透光性カバー９０との間で接着剤を広げようとした際、フレキシブル配線基板３５が実装されている部分２０ｐでも接着剤が入り込む。従って、フレキシブル配線基板３５が実装されている部分でも、透光性基板２０と透光性カバー９０とを接着することができ、透光性基板２０の第１面２０ａ側に透光性カバー９０を好適に面接着することができる。
【００４５】
また、本形態において、凹部９５は、フレキシブル配線基板３５において透光性基板２０上に位置する部分３５ａの全体と重なる領域に形成されている。このため、フレキシブル配線基板３５において透光性基板２０の第１面２０ａ上に位置する部分３５ａの全体が接着剤層４０で覆われるので、フレキシブル配線基板３５と透光性基板２０との実装部分を接着剤層４０によって保護することができる。
【００４６】
さらに、本形態において、凹部９５は、フレキシブル配線基板３５において透光性基板２０上に位置する部分３５ａの全体と重なる領域に形成されている。しかも、凹部９５の深さｄは、フレキシブル配線基板３５の厚さｔより大である。従って、透光性基板２０と透光性カバー９０との間隔や、フレキシブル配線基板３５の厚さにかかわらず、凹部９５の底部とフレキシブル配線基板３５との間に隙間を確保することができる。それ故、フレキシブル配線基板３５が実装されている部分でも液状の接着剤が入り込むので、透光性基板２０の第１面２０ａ側に透光性カバー９０を好適に面接着することができる。しかも、透光性基板２０においてフレキシブル配線基板３５が実装されている部分も含めて、透光性基板２０と透光性カバー９０との間にゲル状シート（粘着剤）を配置して透光性基板２０と透光性カバー９０とを接着する場合でも、透光性カバー９０を浮かすことなく、透光性基板２０と透光性カバー９０とを好適に接着することができる。
【００４７】
ここで、凹部９５は、透光性カバー９０の面９１に遮光層９０ａを形成した後、切削等の方法で形成したものである。このため、凹部９５が形成されている領域には遮光層９０ａが存在しないが、電気光学パネル５の光源等から漏れた光については、フレキシブル配線基板３５等で遮断することができるので、表示光の出射側（入力操作側）に漏れるのを防止することができる。なお、透光性カバー９０に凹部９５を形成した後、遮光層９０ａを形成し、凹部９５が形成されている領域にも遮光層９０ａが形成されている構造を採用してもよい。
【００４８】
［実施の形態２］
図６は、本発明の実施の形態２に係る入力機能付きの電気光学装置１００における透光性基板２０と透光性カバー９０との接着構造の説明図であり、図６（ａ）、（ｂ）は、電気光学装置１００の透光性基板２０においてフレキシブル配線基板３５が接続されている端部周辺の説明図、および電気光学装置１００の平面構成を模式的に示す説明図である。なお、図６（ｂ）において、電気光学装置１００に用いた透光性カバー９０については太い実線で示し、透光性基板２０については太くて長い点線で示し、入力領域２ａについては一点鎖線で示し、フレキシブル配線基板３５については二点鎖線で示し、透光性カバー９０の遮光層９０ａについては右上がりの実線を付した領域によって示してある。また、透光性カバー９０に形成した凹部９５については細くて短い点線で表してある。また、本形態の基本的な構成は、実施の形態１と略同様であるため、共通する部分には同一の符号を付して図示し、それらの説明を省略する。
【００４９】
図６（ａ）、（ｂ）に示すように、本形態でも、実施の形態１と同様、透光性基板２０の第１面２０ａの側には透光性カバー９０が重ねて配置され、かかる透光性カバー９０は、接着剤層４０によって透光性基板２０の第１面２０ａに面接着されている。ここで、透光性カバー９０は、透光性基板２０より大きく、四方に張り出している。このため、透光性基板２０の第１面２０ａの全体が透光性カバー９０に接着されており、接着剤層４０の形成領域は、図６（ｂ）に太くて長い点線で示す透光性基板２０と一致する領域である。
【００５０】
かかる構成の透光性基板２０と透光性カバー９０とを接着剤層４０で接着するにあたって、本形態では、透光性カバー９０において透光性基板２０が位置する側の面９１（接着面）には、フレキシブル配線基板３５において透光性基板２０の第１面２０ａ上に位置する部分３５ａと重なる領域に凹部９５が形成されている。
【００５１】
かかる凹部９５は、少なくとも、フレキシブル配線基板３５において透光性基板２０上に位置する部分３５ａの幅方向の両側の端部３５ｂ、３５ｃと重なる領域に形成される。本形態において、凹部９５は、フレキシブル配線基板３５において透光性基板２０上に位置する部分３５ａと重なる領域に複数本の溝として形成されており、かかる溝状の凹部９５は、フレキシブル配線基板３５の延在方向に延在して互いに並列している。また、複数本の溝状の凹部９５のうち、両側の凹部９５は、フレキシブル配線基板３５の両側の端部３５ｂ、３５ｃと重なる位置に形成されている。かかる凹部９５の深さｄは、フレキシブル配線基板３５の厚さｔより大である。
【００５２】
このような構成の透光性カバー９０を透光性基板２０に接着剤層４０で接着するには、透光性基板２０の第１面２０ａに液状の接着剤を塗布した後、透光性カバー９０を重ねて透光性基板２０と透光性カバー９０との間で接着剤を広げる。その際、透光性基板２０においてフレキシブル配線基板３５が実装されている部分２０ｐでも、透光性カバー９０との間には溝状の凹部９５によって十分な隙間があいている。このため、フレキシブル配線基板３５が実装されている部分２０ｐと透光性カバー９０との間にも接着剤が凹部９５を伝ってスムーズに入り込む。従って、接着剤を硬化させて、透光性カバー９０と透光性基板２０とを接着剤層４０で接着した状態において、透光性基板２０は、フレキシブル配線基板３５が実装されている部分２０ｐも含めて第１面２０ａの側の略全体が透光性カバー９０と接着されることになる。
【００５３】
また、凹部９５の深さｄは、フレキシブル配線基板３５の厚さｔより大であるため、透光性カバー９０との間には溝状の凹部９５によって、少なくとも、フレキシブル配線基板３５の厚さ以上の隙間が形成されているので、フレキシブル配線基板３５が実装されている部分２０ｐと透光性カバー９０との間にも接着剤がスムーズに入り込む。従って、透光性基板２０は、フレキシブル配線基板３５が実装されている部分２０ｐも含めて第１面２０ａの側の略全体が透光性カバー９０と確実に接着されることになる。
【００５４】
なお、本形態でも、実施の形態１と同様、凹部９５は、透光性カバー９０の面９１に遮光層９０ａを形成した後、切削等の方法で形成したものである。このため、凹部９５が形成されている領域には遮光層９０ａが存在しないが、電気光学パネル５の光源等から漏れた光については、フレキシブル配線基板３５等で遮断することができるので、表示光の出射側（入力操作側）に漏れるのを防止することができる。なお、透光性カバー９０に凹部９５を形成した後、遮光層９０ａを形成し、凹部９５が形成されている領域にも遮光層９０ａが形成されている構造を採用してもよい。
【００５５】
［他の実施の形態］
上記実施の形態１、２では、接着剤層４０の厚さがフレキシブル配線基板３５の厚さよりも大であったが、接着剤層４０の厚さがフレキシブル配線基板３５の厚さよりも小である場合に本発明を適用してもよい。
【００５６】
上記実施の形態１、２では、入力パネル２の透光性基板２０に透光性カバー９０を接着するのに本発明を適用したが、電気光学パネル５に用いた透光性基板に透光性カバー９０を接着した電気光学装置１００に本発明を適用してもよい。図７は、本発明をＩＰＳ方式あるいはＦＦＳ方式の液晶パネルと透光性カバーとの接着に適用した例を示す説明図であり、電気光学パネル５に用いた素子基板５０の側に画素電極５８および共通電極６８の双方が形成されている。また、対向基板６０において、素子基板５０と対向する側とは反対側の面（入力操作側の面）にはＩＴＯ膜等の透光性導電膜からなる裏面電極６９が形成されており、かかる裏面電極６９は、電気光学パネル５が静電気や電磁波ノイズの影響を受けるのを阻止する。裏面電極６９にはフレキシブル配線基板７３の分岐部分７３１が接続されており、裏面電極６９は、フレキシブル配線基板７３を介してグランド電位などに保持される。その他の構成は、実施の形態１、２で用いた電気光学パネル５と同様であるため、共通する部分については同一の符号を付してそれらの説明を省略する。
【００５７】
かかる構成の電気光学パネル５において、対向基板６０（透光性基板）において、素子基板５０と対向する側とは反対側の面（入力操作側の面）に透光性カバー９０を接着剤層４０で接着する場合、フレキシブル配線基板７３において対向基板６０上に接続されている部分が形成する段差が邪魔になる。かかる部分にも本発明を適用して、透光性カバー９０においてフレキシブル配線基板７３において対向基板６０上に接続されている部分と重なる領域に凹部９５を形成すれば、対向基板６０と透光性カバー９０とは、フレキシブル配線基板７３が実装されている部分も含めて接着されることになる。
【００５８】
［電子機器への搭載例］
次に、上述した実施形態に係る入力機能付きの電気光学装置１００を適用した電子機器について説明する。図８（ａ）に、入力機能付きの電気光学装置１００を備えたモバイル型のパーソナルコンピューターの構成を示す。パーソナルコンピューター２０００は、表示ユニットとしての入力機能付きの電気光学装置１００と本体部２０１０を備える。本体部２０１０には、電源スイッチ２００１およびキーボード２００２が設けられている。図８（ｂ）に、入力機能付きの電気光学装置１００を備えた携帯電話機の構成を示す。携帯電話機３０００は、複数の操作ボタン３００１およびスクロールボタン３００２、並びに表示ユニットとしての入力機能付きの電気光学装置１００を備える。スクロールボタン３００２を操作することによって、入力機能付きの電気光学装置１００に表示される画面がスクロールされる。図８（ｃ）に、入力機能付きの電気光学装置１００を適用した情報携帯端末（ＰＤＡ：Personal Digital Assistants）の構成を示す。情報携帯端末４０００は、複数の操作ボタン４００１および電源スイッチ４００２、並びに表示ユニットとしての入力機能付きの電気光学装置１００を備える。電源スイッチ４００２を操作すると、住所録やスケジュール帳といった各種の情報が入力機能付きの電気光学装置１００に表示される。
【００５９】
なお、入力機能付きの電気光学装置１００が適用される電子機器としては、図８に示すものの他、デジタルスチールカメラ、液晶テレビ、ビューファインダー型、モニター直視型のビデオテープレコーダー、カーナビゲーション装置、ページャー、電子手帳、電卓、ワードプロセッサー、ワークステーション、テレビ電話、ＰＯＳ端末、銀行端末等の電子機器等が挙げられる。そして、これらの各種電子機器の表示部として、前述した入力機能付きの電気光学装置１００が適用可能である。
【符号の説明】
【００６０】
２ａ・・入力領域、２・・入力パネル、５・・電気光学パネル、２０・・透光性基板、２１・・入力位置検出用電極、３５・・フレキシブル配線基板（配線基板）、４０・・接着剤層、９０・・透光性カバー、９５・・凹部、１００・・入力機能付きの電気光学装置
【図１】
0005399828.tif 000002
【図２】
0005399828.tif 000003
【図４】
0005399828.tif 000004
【図５】
0005399828.tif 000005
【図６】
0005399828.tif 000006
【図７】
0005399828.tif 000007
【図８】
0005399828.tif 000008
【図９】
0005399828.tif 000009
【図３】
0005399828.tif 000010